(57)【特許請求の範囲】
【請求項１】
第１陳列面を有し、該第１陳列面に仕切り板又は陳列補助台が嵌め込まれる第１嵌合溝を所定のピッチで多数設けた陳列基台と、第２陳列面を有し、該第１陳列面に設置されると共に該第２陳列面に仕切り板が嵌め込まれる第２嵌合溝を所定のピッチで多数設けた陳列補助台と、該第２嵌合溝に嵌合し、ひとつで第２陳列面全体を区画する仕切り板とを備え、
該陳列補助台は、四角断面又は三角断面の箱状物であり、第２陳列面が階段状となるように設置され、該第２嵌合溝は、第２陳列面の階段を形成する角部に形成され前後方向に延出する縦溝であることを特徴とする商品陳列台。
【請求項２】
該仕切り板は、該第１嵌合溝と該第２嵌合溝の両方に嵌合することを特徴とする請求項１記載の商品陳列台。
【請求項３】
該第２陳列面の階段状は、複数の段を有することを特徴とする請求項１記載の商品陳列台。
【請求項４】
該所定のピッチで多数設けた第１嵌合溝を構成する各々の嵌合溝が、第１陳列面の一端から他端に至る連続溝であるか、又は不連続溝であることを特徴とする請求項１〜３のいずれか１項に記載の商品陳列台。
【請求項５】
該所定のピッチで多数設けた第１嵌合溝は、前後方向に延出する縦溝であるか、又は左右方向に延出する横溝であることを特徴とする請求項１〜４のいずれか１項に記載の商品陳列台。
【請求項６】
該陳列基台は、箱状物又は板状物であることを特徴とする請求項１〜５のいずれか１項記載の商品陳列台。
【請求項７】
該商品が、青果物であることを特徴とする請求項１〜６のいずれか１項記載の商品陳列台。
【発明の詳細な説明】
【技術分野】
【０００１】
本発明は、主として青果物売り場で使用されるボリューム感のある陳列ができると共に陳列安定性に優れる商品陳列台に関するものである。
【背景技術】
【０００２】
従来、青果物売り場で使用される商品陳列台は、例えば図１２及び図１３に示されるように、平面状あるいは階段状の陳列面１０２、２０２を有する陳列台１０５、２０５と、商品仕切り板１０１、２０１とから構成されている。この商品仕切り板１０１、２０１は下端縁が陳列面１０２、２０２の輪郭形状に対応する形状を有する鉛直部材である商品仕切り板本体１０３、２０３と、該下端縁がＴ字形断面を構成する水平部材である基板１０４、２０４を有するものである。また、下端縁がＬ字形断面を構成する基板を用いた商品仕切り板もある。
【非特許文献１】「SALES PROMOTION CATALOG ‘02〜」KAWAJUN、第83頁、2002年発行
【発明の開示】
【発明が解決しようとする課題】
【０００３】
しかしながら、従来の商品陳列台１００、２００における商品仕切り板１０１、２０１は自立型であるため、仕切り板の設置等の作業性はよいものの、商品仕切り板１０１、２０１が転倒することが多く、商品間の仕切りの乱れが問題となる。また、陳列面の形状が単純であるため、陳列の演出効果に乏しく、顧客の目を引く陳列ができないという問題がある。このため、多様な陳列面を演出することができ、陳列面への設置が容易で、度決めの効いた仕切りが可能な商品陳列台の開発が望まれていた。
【０００４】
従って、本発明の目的は、多様な陳列面を演出することができるとともに、陳列面への設置が容易で、度決めの効いた仕切りが可能な商品陳列台を提供することにある。
【課題を解決するための手段】
【０００５】
かかる実情において、本発明者らは鋭意検討を行った結果、第１陳列面に第１嵌合溝を所定のピッチで多数設けた陳列基台と、該第１陳列面に設置されると共に第２陳列面に第２嵌合溝を所定のピッチで多数設けた陳列補助台と、該第１嵌合溝又は第２嵌合溝に嵌合する仕切り板とを備える商品陳列台であれば、多様な陳列面を演出することができるとともに、陳列面への設置が容易で、度決めの効いた仕切りが可能であることを見出し、本発明を完成するに至った。
【０００６】
すなわち、本発明は、第１陳列面を有し、該第１陳列面に仕切り板又は陳列補助台が嵌め込まれる第１嵌合溝を所定のピッチで多数設けた陳列基台と、第２陳列面を有し、該第１陳列面に設置されると共に該第２陳列面に仕切り板が嵌め込まれる第２嵌合溝を所定のピッチで多数設けた陳列補助台と、該第２嵌合溝に嵌合し、ひとつで第２陳列面全体を区画する仕切り板とを備え、該陳列補助台は、四角断面又は三角断面の箱状物であり、第２陳列面が階段状となるように設置され、該第２嵌合溝は、第２陳列面の階段を形成する角部に形成され前後方向に延出する縦溝である該第１嵌合溝又は第２嵌合溝に嵌合する仕切り板とを備える商品陳列台を提供するものである。また、本発明は、該仕切り板は、該第１嵌合溝と該第２嵌合溝の両方に嵌合する前記商品陳列台を提供するものであり、また、本発明は、該第２陳列面の階段状は、複数の段を有する前記商品陳列台を提供するものである。
【０００７】
本発明は、該所定のピッチで多数設けた第１嵌合溝を構成する各々の嵌合溝が、第１陳列面の一端から他端に至る連続溝であるか、又は不連続溝である前記商品陳列台を提供するものである。
【０００８】
また、本発明は、該所定のピッチで多数設けた第１嵌合溝は、前後方向に延出する縦溝であるか、又は左右方向に延出する横溝である前記商品陳列台を提供するものである。
【０００９】
また、本発明は、該陳列基台は、箱状物又は板状物である前記商品陳列台を提供するものである。
【００１０】
また、本発明は、該商品が、青果物である前記商品陳列台を提供するものである。
【発明の効果】
【００１１】
本発明の商品陳列台によれば、多様な陳列面を演出することができるとともに、陳列面への設置が容易で、度決めの効いた仕切りが可能となる。また、売り場の商品の陳列の乱れを防ぎ、商品陳列のガイドとして、上方向に積み上げるボリューム感のある商品陳列ができる。
【発明を実施するための最良の形態】
【００１２】
本発明において、陳列基台としては、特に制限されないが、例えば、いわゆる床置きの箱状物、別途の基台に設置されるボード（板）状物等が挙げられる。陳列面の形状としては、特に制限されず、水平面、傾斜面、階段状面及びこれらの組み合わせ面が挙げられる。
【００１３】
第１陳列面に所定のピッチで多数形成される仕切り板又は陳列補助台の第１嵌合溝としては、特に制限されず、例えば所定のピッチで多数設けた第１嵌合溝を構成する各々の嵌合溝が、陳列面の一端から他端に至る連続溝であるか、又は不連続溝であるものが挙げられる。また、各々の嵌合溝が延出する方向としては、前後方向又は左右方向、又は前後左右両方向が挙げられる。前後方向に延びる嵌合溝に仕切り板を設置した場合、陳列商品を左右に区画することになり、左右方向に延びる嵌合溝に仕切り板を設置した場合、陳列商品を前後に区画することになる。また、前後左右両方向に形成されたいわゆる碁盤目状の場合、仕切り板の設置方法により、陳列商品を前後左右に区画することができる。また、なお、「前」とは通路側（顧客側）を言い、「後」とはその反対側を言う。
【００１４】
第１嵌合溝が陳列面の一端から他端に至る連続溝の場合、その溝深さとしては、特に制限されないが、仕切り板や陳列補助台の設置が安定する深さが好ましく、特に陳列基台が箱状物の場合、箱状物の高さ寸法に近い深さ寸法（溝深さは深い）であると、仕切り板が奥深く入りこみ、仕切り板を陳列台から横方向に突出する設置形態とすることができる。この場合、床面を商品陳列面として使用でき、陳列の演出効果を高めることができる。陳列基台である箱状物が側板で製作された中空体の場合、連続溝は天板及び側板に連続するスリットとして形成される。
【００１５】
不連続溝としては、特に制限されないが、不連続溝を構成する単一の溝の数が１〜３つ程度が、単一溝の長さが短くならない点で好ましい。単一の溝の数が１つの場合、通常陳列面の中央に所定の長さで設置することが、仕切り板や陳列補助台の設置の容易性と設置安定性がよくなる点で好ましい。嵌合溝はいわゆる溝ではなく、長穴であってもよい。
【００１６】
陳列補助台は、陳列基台の陳列面（第１陳列面）に設置されるものである。陳列補助台としては、特に制限されないが、例えば、四角断面や三角断面等の箱状物が挙げられる。このうち、三角断面の箱状物であれば、陳列面が傾斜状の陳列基台と組み合わせた場合、陳列補助台の陳列面（第２陳列面）が水平面となったり、ひな壇状となったりして陳列の演出効果を高めることができる。第２陳列面の形状としては、特に制限されず、陳列基台との組み合わせにより形成される陳列面が水平面、傾斜面、階段状面及びこれらの組み合わせ面が挙げられる。なお、陳列基台に陳列補助台を設置する方法としては、特に制限されず、陳列補助台の裏面に係合片を設け陳列基台の第１嵌合溝又は係合孔に係合する方法あるいは枠体の下方縁を嵌合代とし陳列基台の第１嵌合溝又は係合孔に係合する方法等が挙げられる。
【００１７】
第２陳列面に所定のピッチで多数形成される仕切り板又は陳列補助台の第２嵌合溝としては、特に制限されず、前記第１陳列面に形成される第１嵌合溝と同様の溝が例示される他、例えば、陳列面の前後方向の一部に形成される部分溝又は不連続溝が挙げられる。
【００１８】
仕切り板は、第１嵌合溝又は第２嵌合溝のいずれか一方、あるいは第１嵌合溝及び第２嵌合溝の両方に嵌合して、陳列商品を区画するものである。仕切り板の形状としては、特に制限されず、下端縁に突起状の嵌合脚板を有するものと有しないものがある。嵌合脚板を有しないものは、下端縁全長又はその一部又は仕切り板本体の一部が嵌合溝に嵌合する。図３にその一例を示す。図３の商品仕切り板は陳列商品を左右に区画するものであって、長尺矩形状物の上端をアーチ状にした仕切り板１１ａ（図３（Ａ））、その下端の中央に脚板１１４を一個設けた仕切り板１１ｂ（図３（Ｂ））、その下端に脚板１１５を２個設けた仕切り板１１ｃ（図３（Ｂ））、その下端に脚板１１６を３個設けた仕切り板１１ｄ（図３（Ｂ））である。
【００１９】
次に、本発明の実施の形態における商品陳列台を図１及び図２を参照して説明する。図１は実施の形態例の商品陳列台の分解斜視図であり、図２は図１の組み付け後の商品陳列台の斜視図である。なお、図１中、もう１つの仕切り板の記載は省略した。
【００２０】
本例の実施の形態における商品陳列台１０は、陳列基台１２と、陳列補助台１４と、仕切り板１１とからなる。陳列基台１２は矩形状のボード状物であって、床面に設置される不図示の基台に第１陳列面１６の傾斜角がαとなるように設置されている。また、第１陳列面１６には、前後方向に延出する縦溝（第１嵌合溝）１３が横方向に所定のピッチで多数設けられている。第１嵌合溝１３は、嵌合溝を構成する各々の嵌合溝が、陳列面ａの一端（前縁）から他端（後縁）に至る連続溝である。
【００２１】
陳列補助台１４は、本例では三角形断面の箱状物であり、陳列基台１２に設置することで、水平な第２陳列面１７を形成できる形状である。陳列基台１２に陳列補助台１４を設置する方法は公知の方法が適用でき、本例では陳列補助台１４の左右側板の下端縁に第１嵌合溝１３に嵌合する嵌合代（不図示）を設け、該嵌合代を第１嵌合溝１３に嵌合する方法である。また、陳列補助台１２は、ボード状の陳列基台１２の陳列面の約１／２を占有する領域に前後方向に隣接して２個設置される。また、陳列補助台１２のコーナー部には前後方向に一部延出する縦溝（第２嵌合溝）１５が横方向に所定のピッチで多数設けられている。なお、陳列補助台１２の大きさ、形状及び設置数は適宜決定され、これを組み合わせて種々の形態の第２陳列面１７を形成できる。
【００２２】
仕切り板１１は仕切り板本体１１１の下端形状１１２が鋸刃状であり、上端形状はアーチ状である。仕切り板１１は陳列補助台１４の第２嵌合溝１５、１５に鋸刃状部を嵌合することにより、第２陳列面１７と仕切り板１１とが隙間なく嵌合できる。なお、仕切り板１１は複数使用してもよく、また、第１嵌合溝１３又は第２嵌合溝１５のいずれの溝に嵌合させてもよい。商品陳列台１０によれば、多様な陳列面を演出することができるとともに、陳列面への設置が容易で、度決めの効いた仕切りが可能となる。また、売り場の商品Ａの陳列の乱れを防ぎ、商品陳列のガイドとして、上方向に積み上げるボリューム感のある商品陳列ができる（図２）。
【００２３】
商品陳列台１０ａにおいて、商品陳列台１０と異なる点は、仕切り板の形状及び陳列補助台の設置個数である（図４参照）。すなわち、商品陳列台１０ａの仕切り板１１ａはその下端縁に鋸刃状等の突起状の脚板がないものであり、該下端縁のいずれの箇所であっても第２嵌合溝１５に嵌合できるものである。また、陳列補助台１４は３個を前後方向に隣接して雛壇上に設置したものであり、１台当りの第２陳列面１７は商品陳列台１０の第２陳列面に比べて小さくなっている。商品陳列台１０ａによれば、第２陳列面１７と仕切り板１１ａとの間に若干の隙間ができるものの、商品陳列台１０と同様の効果を奏する。また、図８に示すように、前方の輪郭が大きなアーチ状の仕切り板１１ｂを用いてもよい。アーチ状の仕切り板１１ｂには、該アーチ部分に「ａｐｐｌｅ」のようなキャッチコピーが描かれており、顧客に斬新な陳列形態を演出することができる。
【００２４】
商品陳列台１０ｂにおいて、商品陳列台１０と異なる点は、第２嵌合溝の形状、仕切り板の形状及び陳列補助台の設置個数である（図５参照）。すなわち、商品陳列台１０ｂの陳列補助台１４ａに形成された第２嵌合溝１５ｂは、第２嵌合溝１５ｂを構成する各々の嵌合溝が、第２陳列面１７の中央部に形成された部分溝である。一方、仕切り板１１ｅはその下端に脚板１１７を３個設けると共に、下り傾斜に沿って前方側へ脚板１１７の長さを長くしたものである。商品陳列台１０ｂによれば、第２嵌合溝の形状及び仕切り板の形状が異なっても、商品陳列台１０と同様の効果を奏する。なお、商品陳列台１０ｂは本発明の参考例となるものである。
【００２５】
商品陳列台１０ｃにおいて、商品陳列台１０と異なる点は、第１嵌合溝１３ａの形状である。すなわち、商品陳列台１０ｃの第１嵌合溝１３ａは、左右方向に延出する横溝（第１嵌合溝）１３ａが縦方向に所定のピッチで多数設けられている。また、第１嵌合溝１３ａは、嵌合溝を構成する各々の嵌合溝が、第１陳列面１６の一端（左縁）から他端（右縁）に至る連続溝である。陳列基台１２ａに陳列補助台１４を設置する方法としては公知の方法が適用でき、本例では陳列補助台１４の前方側板の下端縁に第１嵌合溝１３ａに嵌合する嵌合代（不図示）を設け、該嵌合代を第１嵌合溝１３ａに嵌合する方法である。商品陳列台１０ｃによれば、第１嵌合溝が横溝であっても商品陳列台１０と同様の効果を奏する。
【００２６】
商品陳列台１０ｄにおいて、商品陳列台１０と異なる点は、陳列基台の形状、陳列補助台の形状及び第１嵌合溝の形状である。すなわち、商品陳列台１０ｄの陳列基台１２ｂは三角形断面の箱状物であり、傾斜面１６は角度βで前方傾斜である。また、陳列補助台１４ｂは三角形断面の箱状物であり、陳列基台１２に２台前後方向に隣接して設置することで、２段の段差を形成し、第１陳列面１６全体を覆う大きさである。商品陳列台１０ｄによれば、陳列基台が箱状物であっても商品陳列台１０と同様の効果を奏する。
【００２７】
商品陳列台１０ｅにおいて、商品陳列台１０と異なる点は、陳列基台の形状、陳列補助台の形状、第１嵌合溝の形状、第２嵌合溝の形状及び仕切り板の形状である。すなわち、商品陳列台１０ｅの陳列基台１２ｅは床置きの四角形断面の箱状物であり、陳列基台１２ｅ上に形成される第１嵌合溝１３ｅは上面の全面及び前後両側板の途中まで形成される縦溝である。また、陳列補助台１４ｂは四角断面の箱状物であり、奥行き寸法が陳列基台１２ｅの奥行きの約１/２のものであり、陳列補助台１４ｂを陳列基台１２ｅに載置することにより、陳列面を前後方向に２段の段差に形成することができる。また、床面を商品の載置面として利用すれば、３段の陳列面が演出できる。なお、陳列補助台１４ｂに形成される第２嵌合溝１５ｅは、後側板の途中で途切れている他は連続する縦溝である（不図示）。また、仕切り板１１ｃは上方の輪郭形状が１/４円板であって、且つ下端縁が陳列基台１２ｅの陳列面に沿って形成される鋸刃状のものであり、また上方部分及び前方部分が陳列基台１２ｅから突出したものとなっている。なお、陳列補助台１４ｂは嵌合溝１５ｅのピッチを幅寸法とする嵌合溝のない小箱を用い、これを溝幅分離間させて設置するようにしてもよい。商品陳列台１０ｅによれば、陳列基台が四角断面形状の箱状物であっても商品陳列台１０と同様の効果を奏する。
【００２８】
商品陳列台１０ｆにおいて、商品陳列台１０ｅと異なる点は、陳列基台の形状、第１嵌合溝の形状及び仕切り板の形状である。すなわち、商品陳列台１０ｆの陳列基台１２ｆは床置きのＬ字断面のものであり、陳列基台１２ｆ上に形成される第１嵌合溝１３ｆは水平陳列面１２１の全面及び垂直陳列面１２２の全面に形成される縦溝である。これにより、陳列面を後方壁のある前後方向に２段の段差に形成することができる。また、仕切り板１１ｄは下端縁が陳列基台１２ｆの陳列面に沿って形成される鋸刃状のものである。商品陳列台１０ｆによれば、陳列基台がＬ字断面形状のものであっても商品陳列台１０ｅと同様の効果を奏する。
【００２９】
商品陳列台１０ｇにおいて、商品陳列台１０ｅと異なる点は、陳列基台の形状、陳列補助台の形状、第１嵌合溝の形状、第２嵌合溝の形状及び仕切り板の形状である。すなわち、商品陳列台１０ｇの陳列基台１２ｇは床置きの階段状物であり、陳列基台１２ｇ上に形成される第１嵌合溝１３ｇは水平陳列面に形成される縦溝である。また、陳列補助台１４ｇの大きさは奥行き寸法が陳列基台１２ｇの水平陳列面の１/２であり、高さ寸法が陳列基台１２ｇの垂直陳列面の１/２である。陳列補助台１４ｇ上に形成される第２嵌合溝１５ｇは水平陳列面に形成される縦溝である。また、仕切り板１１ｃは下端縁が鋸刃状に切り欠かれたものである。これにより、陳列面を後方壁を有して前後方向に４段の段差に形成することができる。商品陳列台１０ｇによれば、陳列基台が階段断面形状のものであっても商品陳列台１０ｅと同様の効果を奏する。なお、商品陳列台１０ｇは本発明の参考例となるものである。
【図面の簡単な説明】
【００３０】
【図１】本例の実施の形態例の商品陳列台の分解斜視図である。
【図２】本例の実施の形態例の商品陳列台の使用状態図である。
【図３】（Ａ）〜（Ｄ）は本例の商品陳列台で使用する例示された仕切り板の斜視図である。
【図４】本例の商品陳列台の他の変形例を示す斜視図である。
【図５】本例の商品陳列台の他の変形例を示す斜視図である。
【図６】本例の商品陳列台の他の変形例を示す斜視図である。
【図７】本例の商品陳列台の他の変形例を示す斜視図である。
【図８】本例の商品陳列台の他の変形例を示す斜視図である。
【図９】本例の商品陳列台の他の変形例を示す斜視図である。
【図１０】本例の商品陳列台の他の変形例を示す斜視図である。
【図１１】本例の商品陳列台の他の変形例を示す斜視図である。
【図１２】（Ａ）は従来の商品陳列台の分解斜視図であり、（Ｂ）は（Ａ）の組み付け後の商品陳列台の斜視図である。
【図１３】（Ａ）は従来の他の商品陳列台の分解斜視図であり、（Ｂ）は（Ａ）の組み付け後の商品陳列台の斜視図である。
【符号の説明】
【００３１】
１０、１０ａ〜１０ｄ    商品陳列台
１１、１１ａ〜１１ｅ    商品仕切り板
１２                    陳列基台
１３、１３ａ            嵌合溝
１４                    陳列補助台
【図１】
0004656873.tif 000002
【図２】
0004656873.tif 000003
【図３】
0004656873.tif 000004
【図４】
0004656873.tif 000005
【図５】
0004656873.tif 000006
【図６】
0004656873.tif 000007
【図７】
0004656873.tif 000008
【図８】
0004656873.tif 000009
【図９】
0004656873.tif 000010
【図１０】
0004656873.tif 000011
【図１１】
0004656873.tif 000012
【図１２】
0004656873.tif 000013
【図１３】
0004656873.tif 000014